【事件の表示】
　特願２００１−３６９８９１「排気ガス浄化装置」拒絶査定不服審判事件〔平成１５年　６月２０日出願公開、特開２００３−１７２１２５〕について、次のとおり審決する。
【結　論】
　本件審判の請求は、成り立たない。
【理　由】
第１　手続の経緯
　本願は、平成１３年１２月４日の出願であって、平成２０年９月５日付けで拒絶理由が通知され、平成２０年１１月１３日付けで意見書及び手続補正書が提出されたが、平成２１年４月１３日付けで拒絶査定がなされ、これに対し、平成２１年７月１７日付けで拒絶査定不服審判が請求されると同時に明細書を補正する手続補正書が提出され、その後、当審において平成２１年１２月１４日付けで書面による審尋がなされ、これに対して平成２２年３月１０日付けで回答書が提出されたものである。
　
　
第２　平成２１年７月１７日付けの手続補正についての補正却下の決定
［補正却下の決定の結論］
　平成２１年７月１７日付けの手続補正を却下する。
　
［理由］
１　本件補正の内容　
　平成２１年７月１７日付けの手続補正（以下、「本件補正」という。）は、特許請求の範囲に関して、本件補正により補正される前の（すなわち、平成２０年１１月１３日付けの手続補正書により補正された）以下のａに示す請求項１を、ｂに示す請求項１とする補正を含むものである。
　
ａ　本件補正前の特許請求の範囲の請求項１
　「【請求項１】　エンジンからの排気ガスを排出する排気管に接続されたハウジング，及び前記ハウジング内に配置された前記排気ガスに含まれるパティキュレート物質を捕集し且つ捕集された前記パティキュレート物質を加熱焼却するフィルタを有する排気ガス浄化装置において，
　前記ハウジングは，前記排気管に連通した前記排気ガスが送り込まれるガス室を形成する入口管，前記ガス室に接続して隔壁によって少なくとも３個以上に分割され且つ前記フィルタが内外周に排気ガス通路を形成してそれぞれ配置された区画室，及び前記区画室に接続され前記区画室から送り出される前記排気ガスを集合する集合管を有し，
　前記区画室の排気ガス入口には前記排気ガス入口を開閉するための開閉弁がそれぞれ配置され，前記ハウジングに形成された前記区画室には，前記フィルタの再生時に前記パティキュレート物質の燃焼用空気を供給するため空気供給手段がそれぞれ設けられ，
　前記排気管からの前記排気ガスを前記区画室へ送り込むため前記開閉弁を開放制御すると共に前記フィルタに捕集された前記パティキュレート物質を加熱焼却して前記フィルタを再生するため前記開閉弁を閉鎖制御し，前記フィルタの再生時に前記フィルタに設けたヒータを通電制御するコントローラを有し，
　前記コントローラは，少なくとも２個の前記区画室の排気ガス入口を開閉する前記開閉弁を開放し前記排気ガスに含まれる前記パティキュレート物質を前記フィルタに捕集する捕集処理と，１個の前記区画室の前記開閉弁を閉鎖し前記空気供給手段を働かせて再生するための前記区画室の前記フィルタに前記燃焼用空気を供給して前記ヒータに通電して前記フィルタに捕集された前記パティキュレート物質を加熱焼却する再生処理とを順次経時的に制御することを特徴とする排気ガス浄化装置。」
　
ｂ　本件補正後の特許請求の範囲の請求項１
　「【請求項１】　エンジンからの排気ガスを排出する排気管に接続されたハウジング，及び前記ハウジング内に配置された前記排気ガスに含まれるパティキュレート物質を捕集し且つ捕集された前記パティキュレート物質を加熱焼却
して再生される
　前記ハウジングは，前記排気管に連通した前記排気ガスが送り込まれるガス室を形成する入口管，前記ガス室に
排気ガス入口を通じてそれぞれ
且つ
の出口
且つ
　前記区画室の排気ガス入口には前記排気ガス入口を開閉するための開閉弁がそれぞれ配置され，
それぞれの
，前記ハウジングに形成された前記区画室内の前記フイルタに
を加熱焼却するための
る空
が設
　前記排気管からの前記排気ガスを前記区画室へ送り込むため前記開閉弁を開放制御すると共に前記フィルタに捕集された前記パティキュレート物質を加熱焼却して前記フィルタを再生するため前記開閉弁を閉鎖制御し，前記フィルタの再生時に前記フィルタに設けたヒータを通電制御するコントローラを有し，
　前記コントローラは，少なくとも２個の前記区画室の排気ガス入口を開閉する前記開閉弁を開放し前記排気ガスに含まれる前記パティキュレート物質を前記フィルタに捕集する捕集処理と，１個の前記区画室の前記開閉弁を閉鎖し前記空気供給手段を働かせて再生するための前記区画室の前記フィルタに前記燃焼用空気を供給して前記ヒータに通電して前記フィルタに捕集された前記パティキュレート物質を加熱焼却する再生処理とを順次経時的に制御することを特徴とする排気ガス浄化装置。」（なお、下線は補正箇所を示すためのものである。）
　
２　本件補正の適否についての判断
［理由１］
２−１　本件補正の目的
　本件補正によって、本件補正前の請求項１における「前記ハウジングに形成された前記区画室には，前記フィルタの再生時に前記パティキュレート物質の燃焼用空気を供給するため空気供給手段がそれぞれ設けられ」が、「
それぞれの
，前記ハウジングに形成された前記区画室内の前記フイルタに
を加熱焼却するための
る空
が設
　この補正によって、区画室には空気供給手段がそれぞれ設けられるという事項、すなわち、区画室と同数の空気供給手段が存在するという事項が削除された。
　したがって、本件補正は、本件補正前の請求項１に記載した発明特定事項を限定するものではないので、平成１８年法律第５５号改正附則第３条第１項によりなお従前の例によるとされる同法による改正前の特許法第１７条の２第４項第２号に規定する特許請求の範囲の減縮を目的とするものではない。
　さらに、本件補正が、同第１号の請求項の削除、同第３号の誤記の訂正、同第４号の明りようでない記載の釈明のいずれを目的とするものでもないことも明らかである。
　
　したがって、本件補正は、同法第１７条の２第４項の規定に違反するので、同法第１５９条第１項において読み替えて準用する同法第５３条第１項の規定により却下すべきものである。
　
［理由２］
２−２　独立特許要件
　仮に、本件補正が、平成１８年法律第５５号改正附則第３条第１項によりなお従前の例によるとされる同法による改正前の特許法第１７条の２第４項第２号の特許請求の範囲の減縮を目的とするものに該当するとして、本件補正による補正後の請求項１に記載された事項により特定される発明（以下、「本願補正発明」という。）が、特許出願の際に独立して特許を受けることができるものであるかについて、以下に検討する。　
　
２−２−１　引用文献記載の発明
　原査定の拒絶の理由に引用された、本願の出願前に頒布された刊行物である特開平８−２６０９４５号公報（以下、「引用文献」という。）には、次の事項が図面とともに記載されている。
　
ａ　「【０００３】自動車等に装備されるディーゼルエンジン用のフィルタ装置の場合は、フィルタ装置の再生をエンジンの運転中に実施できるものが実用上好ましい。このようなフィルタ装置として堆積したパティキュレートの除去のための電気ヒータを組み込んだ多数のフィルタユニットを備えたフィルタ装置が提案されている（例えば、ＵＳＰ５２９３７４２号、特開平６−２６４７２２号公報等）。これらの装置では複数のフィルタユニットへの通電時期をずらして順次再生することにより、エンジンの運転中でもフィルタユニットの再生が可能となる。」（段落【０００３】）
　
ｂ　「【００２３】
【実施例】
（実施例１）以下、本発明をディーゼルエンジンの排ガス処理に使用する排ガス浄化装置に具体化した第１実施例を図１〜図３に従って説明する。図１及び図２に示すように、排ガス浄化装置１を構成する円筒状のハウジング２には、その内部前寄りに隔壁としての円板状の区画板３がハウジング２の長手方向と直交する状態で固定配置されている。区画板３によりハウジング２内が排ガス導入側空間４と、排出側空間５とに区画されている。ハウジング２の周壁２ａには排ガス導入側空間４と連通する排ガス導入管６が突設され、後壁２ｂの中央には排出側空間５に連通する排気管７が突設されている。ハウジング２内には複数本（この実施例では４本）のフィルタユニット８が並列状態で配設されている。
【００２４】フィルタユニット８は円筒状に形成された筒状フィルタ９と、筒状フィルタ９の内表面に沿って配設された熱源としてのヒータ１０とを備えている。…（中略）…
【００２５】図１及び図３に示すように、区画板３の前面にはフィルタユニット８への排ガス導入用の開口部を構成する扇形の凹部３ａが４個形成され、その底部にフィルタユニット８を取り付けるための取付け孔３ｂがそれぞれ形成されている。…（後略）…」（段落【００２３】ないし【００２５】）
　
ｃ　「【００２８】図３に示すように、弁２１は区画板３のほぼ１／４を覆う扇状に形成されると共に、区画板３の前面に摺接する状態に設けられている。そして、弁２１は常に１個の凹部３ａを閉鎖してフィルタユニット８への排ガスの導入を遮断する位置に配置されている。」（段落【００２８】）
　
ｄ　「【００３２】次に前記のように構成された排ガス浄化装置１の作用を説明する。排ガス浄化装置１は図示しないディーゼルエンジンの排気管の途中に連結されて使用される。排ガス導入管６から排ガス導入側空間４内に導入された排ガスは凹部３ａ及び開口部８ａを通って各フィルタユニット８の内側に導かれ、筒状フィルタ９を内側から外側へ向かって通過する。そして、筒状フィルタ９を通過する間に排ガス中に含まれるパティキュレート等がろ過され、清浄になった排ガスが排出側空間５を経て排気管７から排出される。
【００３３】弁２１はいずれか１個の凹部３ａを閉鎖する位置に配置され、排ガスの処理は３本のフィルタユニット８によって行われる。排ガス導入管６内の圧力（背圧）は筒状フィルタ９に捕集されたパティキュレート量の増加に伴って上昇する。そして、背圧が再生開始設定圧力に達した後にフィルタユニット８の再生が行われる。
【００３４】再生時期になると、コントローラ１９からモータ２３に作動指令が出力され、モータ２３は回動軸２０を１／４回転回動させるだけ作動される。その結果、弁２１も１／４回転回動されて隣接するフィルタユニット８と対応する凹部３ａが弁２１によって閉鎖され、当該フィルタユニット８への排ガスの導入が遮断される。次にヒータリレー１７を介して当該フィルタユニット８のヒータ１０が所定時間通電発熱される。ヒータ１０への通電開始後、パティキュレートの温度が着火温度に達するのに必要な所定時間経過後、コントローラ１９からの指令によりバルブ３０が開放される。そして、酸素供給源２９から管路２７、第２通路２６、第１通路２５及び第３通路２８を経てフィルタユニット８に酸素が供給される。
【００３５】そして、ヒータ１０の発熱によりパティキュレートが燃焼温度以上に加熱された状態で充分な酸素の存在下でパティキュレートが燃焼される。…（中略）…
【００３７】ヒータ１０への通電及び酸素供給が所定時間継続されてパティキュレートの燃焼が完了した後、当該ヒータ１０への通電が停止され、その後にバルブ３０が閉じられて酸素供給が停止される。次いでモータ２３が作動されて弁２１が１／４回転回動されて次のフィルタユニット８と対応する凹部３ａが閉鎖される。そして、前記と同様にして当該フィルタユニット８の再生が行われる。…（後略）…」（段落【００３２】ないし【００３７】）
　
ｅ　「【００４０】また、この実施例ではいずれか１本のフィルタユニット８は排ガスの流入が遮断された状態、すなわち休止状態に保持され、フィルタユニット８の休止状態の間に当該フィルタユニット８の再生処理が行われる。そして、フィルタユニット８を再生するときに、それまで排ガス処理を行わずに休止状態にあった再生済のフィルタユニット８が開放されて、再生すべきフィルタユニット８に代わって排ガス処理を行うため、再生時に背圧が急上昇する不都合がない。」（段落【００４０】）
　
ｆ　「【００５８】（１１）  各フィルタユニット８の外側に筒状の隔壁を配設して、フィルタユニット８を通過した排ガスを再生中のフィルタユニット８に接触することなく出口へ導くようにしてもよい。」（段落【００５８】）
　
　上記ａないしｆ及び図面から、次のことが分かる。
　
ｇ　上記ｂ及びｄ並びに図１ないし３から、フィルタユニット８への排ガス導入用の開口部を構成する扇形の凹部３ａは、フィルタユニット８への排ガス入口であることが分かる。
　
ｈ　上記ｂ及びｄ並びに図１ないし３から、排ガスは、凹部３ａから筒状フィルタ９の内側に導かれ、筒状フィルタ９を内側から外側へ向かって通過し、該ハウジング２内の空間を通って排気管７に送り出されることが分かる。また、このことから、筒状フィルタ９の内周及び外周に排ガス通路があることが分かる。
　
ｉ　上記ｂ、ｇ及びｈから、ハウジング２内には、４個の「排ガス導入側空間４に凹部３ａを通じて接続し且つ筒状フィルタ９，筒状フィルタ９内周の排ガス通路，及び筒状フィルタ９外周の排ガス通路を含む領域」（以下、この領域を「領域Ａ」という。）が存在することが分かる。
　
ｊ　上記ｄの「酸素供給源２９から管路２７、第２通路２６、第１通路２５及び第３通路２８を経てフィルタユニット８に酸素が供給される」ことから、「酸素供給手段」があることが分かる。
　
ｋ　上記ａ及びｃないしｅから、弁２１は常に１個の凹部３ａを閉鎖制御し、残り３個の凹部３ａを開放制御して、フィルタの再生処理を１個ずつ順番に行うとともに、再生処理を行っていない残りの３個のフィルタには排ガスが送り込まれて捕集処理を行っていることが分かる。これらのことから、３個のフィルタの捕集処理と１個のフィルタの再生処理とが「順次経時的に」行われていることが分かる。
　
　上記ａないしｋから、引用文献には、次の発明が記載されているといえる。
　
「エンジンからの排ガスを排出する排ガス導入管６に接続されたハウジング２，及び前記ハウジング２内に配置された前記排ガスに含まれるパティキュレートを捕集し且つ捕集された前記パティキュレートを加熱燃焼して再生される筒状フィルタ９を有する排ガス浄化装置において，
　前記ハウジング２は，前記排ガス導入管６に連通した前記排ガスが送り込まれる排ガス導入側空間４，前記排ガス導入側空間４に凹部３ａを通じてそれぞれ接続し且つ前記筒状フィルタ９，前記筒状フィルタ９内周の排ガス通路，及び前記筒状フィルタ９外周の排ガス通路を含む４個の領域Ａを有し，
　前記領域Ａの前記凹部３ａには前記凹部３ａを開閉するための弁２１が配置され，それぞれの前記筒状フィルタ９の再生時に，前記ハウジング２に形成された前記領域Ａの前記筒状フィルタ９に前記パティキュレートを加熱燃焼するための酸素を供給する酸素供給手段が設けられ，
　前記排ガス導入管６からの前記排ガスを前記領域Ａへ送り込むため前記弁２１を開放制御すると共に前記筒状フィルタ９に捕集された前記パティキュレートを加熱燃焼して前記筒状フィルタ９を再生するため前記弁２１を閉鎖制御し，前記筒状フィルタ９の再生時に前記筒状フィルタ９に設けたヒータ１０を通電制御するコントローラ１９を有し，
　前記コントローラ１９は，３個の前記領域Ａの凹部３ａを開放し前記排ガスに含まれる前記パティキュレートを前記筒状フィルタ９に捕集する捕集処理と，１個の前記領域Ａの凹部３ａを前記弁２１で閉鎖し前記酸素供給手段を働かせて再生するための前記領域Ａの前記筒状フィルタ９に前記酸素を供給して前記ヒータ１０に通電して前記筒状フィルタ９に捕集された前記パティキュレートを加熱燃焼する再生処理とを順次経時的に制御する排ガス浄化装置。」（以下、「引用文献記載の発明」という。）
　
２−２−２　対比
　本願補正発明と引用文献記載の発明とを対比すると、引用文献記載の発明における「排ガス」は、その技術的意義からみて、本願補正発明における「排気ガス」に相当し、以下同様に、「排ガス導入管６」は「排気管」に、「ハウジング２」は「ハウジング」に、「パティキュレート」は「パティキュレート物質」に、「加熱燃焼」は「加熱焼却」に、「筒状フィルタ９」は「フィルタ」に、「排ガス浄化装置」は「排気ガス浄化装置」に、「排ガス導入側空間４」は「ガス室を形成する入口管」及び「ガス室」に、「凹部３ａ」は「排気ガス入口」に、「排ガス通路」は「排気ガス通路」に、「弁２１」は「開閉弁」に、「酸素」は「燃焼用空気」に、「ヒータ１０」は「ヒータ」に、「コントローラ１９」は「コントローラ」に、「酸素供給手段」は「空気供給手段」に、それぞれ相当する。
　また、引用文献記載の発明における「前記排ガス導入側空間４に凹部３ａを通じて接続し且つ前記筒状フィルタ９，前記筒状フィルタ９内周の排ガス通路，及び前記筒状フィルタ９外周の排ガス通路を含む４個の領域Ａ」は、本願補正発明における「前記ガス室に排気ガス入口を通じてそれぞれ接続し且つ隔壁によって少なくとも３個以上に分割され且つ前記フィルタが内外周に排気ガス通路を形成してそれぞれ配置された区画室」に、「前記ガス室に排気ガス入口を通じてそれぞれ接続し且つ前記フィルタ，前記フィルタ内周の排気ガス通路，及び前記フィルタ外周の排気ガス通路を含む少なくとも３個以上の領域」（すなわち、「領域Ａ」）の限りにおいて相当する。
　さらに、引用文献記載の発明における「３個の前記領域Ａの凹部３ａを開放し前記排ガスに含まれる前記パティキュレートを前記筒状フィルタ９に捕集する捕集処理と，１個の前記領域Ａの凹部３ａを前記弁２１で閉鎖し前記酸素供給手段を働かせて再生するための前記領域Ａの前記筒状フィルタ９に前記酸素を供給して前記ヒータ１０に通電して前記筒状フィルタ９に捕集された前記パティキュレートを加熱燃焼する再生処理」は、本願補正発明における「少なくとも２個の前記区画室の排気ガス入口を開閉する前記開閉弁を開放し前記排気ガスに含まれる前記パティキュレート物質を前記フィルタに捕集する捕集処理と，１個の前記区画室の前記開閉弁を閉鎖し前記空気供給手段を働かせて再生するための前記区画室の前記フィルタに前記燃焼用空気を供給して前記ヒータに通電して前記フィルタに捕集された前記パティキュレート物質を加熱焼却する再生処理」に、「少なくとも２個の前記領域Ａの排気ガス入口を開放し前記排気ガスに含まれる前記パティキュレート物質を前記フィルタに捕集する捕集処理と，１個の前記領域Ａの排気ガス入口を前記開閉弁で閉鎖し前記空気供給手段を働かせて再生するための前記領域Ａの前記フィルタに前記燃焼用空気を供給して前記ヒータに通電して前記フィルタに捕集された前記パティキュレート物質を加熱焼却する再生処理」の限りにおいて相当する。
　
　よって、本願補正発明と引用文献記載の発明とは、
「エンジンからの排気ガスを排出する排気管に接続されたハウジング，及び前記ハウジング内に配置された前記排気ガスに含まれるパティキュレート物質を捕集し且つ捕集された前記パティキュレート物質を加熱焼却して再生されるフィルタを有する排気ガス浄化装置において，
　前記ハウジングは，前記排気管に連通した前記排気ガスが送り込まれるガス室を形成する入口管，前記ガス室に排気ガス入口を通じてそれぞれ接続し且つ前記フィルタ，前記フィルタ内周の排気ガス通路，及び前記フィルタ外周の排気ガス通路を含む少なくとも３個以上の領域Ａを有し，
　前記領域Ａの排気ガス入口には前記排気ガス入口を開閉するための開閉弁が配置され，それぞれの前記フィルタの再生時に，前記ハウジングに形成された前記領域Ａの前記フィルタに前記パティキュレート物質を加熱焼却するための燃焼用空気を供給する空気供給手段が設けられ，
　前記排気管からの前記排気ガスを前記領域Ａへ送り込むため前記開閉弁を開放制御すると共に前記フィルタに捕集された前記パティキュレート物質を加熱焼却して前記フィルタを再生するため前記開閉弁を閉鎖制御し，前記フィルタの再生時に前記フィルタに設けたヒータを通電制御するコントローラを有し，
　前記コントローラは，少なくとも２個の前記領域Ａの排気ガス入口を開放し前記排気ガスに含まれる前記パティキュレート物質を前記フィルタに捕集する捕集処理と，１個の前記領域Ａの排気ガス入口を前記開閉弁で閉鎖し前記空気供給手段を働かせて再生するための前記領域Ａの前記フィルタに前記燃焼用空気を供給して前記ヒータに通電して前記フィルタに捕集された前記パティキュレート物質を加熱焼却する再生処理とを順次経時的に制御する排気ガス浄化装置。」
の点で一致し、次の点で相違する。
　
相違点１
　領域Ａに関し、
　本願補正発明においては、ハウジングが「前記ガス室に排気ガス入口を通じてそれぞれ接続し且つ隔壁によって少なくとも３個以上に分割され且つ前記フィルタが内外周に排気ガス通路を形成してそれぞれ配置された区画室」を有するとともに、ハウジングが「前記区画室の出口に接続され且つ前記区画室から送り出される前記排気ガスを集合する集合管」を有し、さらに、「前記区画室の排気ガス入口」、「前記区画室内の前記フィルタ」及び「前記区画室の前記開閉弁」のように、「排気ガス入口」、「フィルタ」及び「開閉弁」が「区画室」と関係するのに対し、
　引用文献記載の発明においては、ハウジング２が「前記排ガス導入側空間４に凹部３ａを通じてそれぞれ接続し且つ前記筒状フィルタ９，前記筒状フィルタ９内周の排ガス通路，及び前記筒状フィルタ９外周の排ガス通路を含む４個の領域Ａ」を有し、領域Ａが凹部３ａに接続され、領域Ａ内に筒状フィルタ９が配置され、領域Ａが接続される凹部３ａに弁２１が配置されるものの、前記「領域Ａ」が本願補正発明のような「区画室」ではなく、また、ハウジング２が本願補正発明における「前記区画室の出口に接続され且つ前記区画室から送り出される前記排気ガスを集合する集合管」に相当するものを有さず、さらに、「凹部３ａ」、「筒状フィルタ９」及び「弁２１」が「領域Ａ」と関係する点（以下、「相違点１」という。）。
　
相違点２
　捕集処理で少なくとも２個の排気ガス入口を開放し、再生処理で１個の排気ガス入口を閉鎖するために、
　本願補正発明においては、（少なくとも３個以上の）排気ガス入口に、排気ガス入口を開閉するための開閉弁がそれぞれ配置されており、捕集処理において「少なくとも２個の前記区画室の排気ガス入口を開閉する前記開閉弁を開放」し、再生処理において「１個の前記区画室の前記開閉弁を閉鎖」するのに対し、
　引用文献記載の発明においては、４個の凹部３ａに、弁２１が１個だけ配置されている点（以下、「相違点２」という。）。
　
２−２−３　判断
（１）相違点１について検討する。
　上記２−２−１のｆで示したように、引用文献には、「各フィルタユニット８の外側に筒状の隔壁を配設して、フィルタユニット８を通過した排ガスを再生中のフィルタユニット８に接触することなく出口へ導くようにしてもよい。」と示唆されている。
　また、ガス室に排気ガス入口を通じてそれぞれ接続し且つ隔壁によって複数に分割された区画室にフィルタを配置し、フィルタが内外周に排気ガス通路を形成するように構成するとともに、区画室から送り出される排気ガスを集合する集合管を設けることは、従来周知の技術（以下、「周知技術１」という。例えば、本願明細書の段落【０００４】に開示された特開平８−３１２３２９号公報の段落【００２０】及び図１のほか、特開２０００−３５２３０４号公報の段落【００１９】及び図１を参照。）である。
　これらの示唆や該周知技術１を考慮すれば、引用文献記載の発明において、４個の筒状フィルタ９それぞれが内外周に排ガス通路を形成するように、隔壁によって分割された４個の区画室を設けるとともに、排ガス導入側空間４に凹部３ａを通じてそれぞれの区画室を接続し、区画室から送り出される排ガスを集合管で集合するように前記領域Ａを構成することによって、相違点１に係る本願補正発明の発明特定事項とすることは、当業者が格別の創意を要することなく想到できたことである。
　
（２）相違点２について検討する。
　隔壁で区画された区画室の複数の排気ガス入口に、開閉弁をそれぞれ配置することは、従来周知の技術（以下、「周知技術２」という。例えば、本願明細書の段落【０００４】に開示された特開平８−３１２３２９号公報のほか、特開平５−１７９９３１号公報、特開平５−３３２１２５号公報を参照。）である。
　引用文献記載の発明において、該周知技術２を適用し、捕集処理で３個の凹部３ａを開放し、再生処理で１個の凹部３ａを閉鎖するために、弁２１を１個だけ配置する構成に代えて、４個の凹部３ａにそれぞれ開閉弁を配置する構成を採用することによって、相違点２に係る本願補正発明の発明特定事項とすることは、当業者が格別の創意を要することなく想到できたことである。
　
（３）そして、本願補正発明を全体としてみても、本願補正発明の奏する効果は、引用文献記載の発明並びに周知技術１及び２から当業者が予測できた範囲内のものであり、格別に顕著な効果ではない。
　よって、本願補正発明は、引用文献記載の発明並びに周知技術１及び２に基づいて、当業者が容易に発明をすることができたものであるから、特許法第２９条第２項の規定により特許出願の際に独立して特許を受けることができないものである。
　
（４）以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
３　むすび
　よって、［理由１］又は［理由２］により、結論のとおり決定する。
　
　
第３　本願発明について
１　本願発明
　平成２１年７月１７日付けの手続補正は上記のとおり却下されたので、本願の請求項１に係る発明（以下、「本願発明」という。）は、上記第２［理由］１のａの請求項１に記載された事項により特定されるとおりのものである。
　
２　引用文献記載の発明
　引用文献には、上記第２［理由］２［理由２］２−２−１に記載したとおりの発明が記載されている。
　
３　対比
　本願発明と引用文献記載の発明とを対比すると、上記第２［理由］２［理由２］２−２−２で指摘したような相当関係がある。
　また、引用文献記載の発明における「前記排ガス導入側空間４に凹部３ａを通じて接続し且つ前記筒状フィルタ９，前記筒状フィルタ９内周の排ガス通路，及び前記筒状フィルタ９外周の排ガス通路を含む４個の領域Ａ」は、本願発明における「前記ガス室に接続して隔壁によって少なくとも３個以上に分割され且つ前記フィルタが内外周に排気ガス通路を形成してそれぞれ配置された区画室」に、「前記ガス室に接続して前記フィルタ，前記フィルタ内周の排気ガス通路，及び前記フィルタ外周の排気ガス通路を含む少なくとも３個以上の領域Ａ」の限りにおいて相当する。
　
　よって、本願発明と引用文献記載の発明とは、
「エンジンからの排気ガスを排出する排気管に接続されたハウジング，及び前記ハウジング内に配置された前記排気ガスに含まれるパティキュレート物質を捕集し且つ捕集された前記パティキュレート物質を加熱焼却するフィルタを有する排気ガス浄化装置において，
　前記ハウジングは，前記排気管に連通した前記排気ガスが送り込まれるガス室を形成する入口管，前記ガス室に接続して前記フィルタ，前記フィルタ内周の排気ガス通路，及び前記フィルタ外周の排気ガス通路を含む少なくとも３個以上の領域Ａを有し，
　前記領域Ａの排気ガス入口には前記排気ガス入口を開閉するための開閉弁が配置され，前記ハウジングに形成された前記領域Ａには，前記フィルタの再生時に前記パティキュレート物質の燃焼用空気を供給するため空気供給手段が設けられ，
　前記排気管からの前記排気ガスを前記領域Ａへ送り込むため前記開閉弁を開放制御すると共に前記フィルタに捕集された前記パティキュレート物質を加熱焼却して前記フィルタを再生するため前記開閉弁を閉鎖制御し，前記フィルタの再生時に前記フィルタに設けたヒータを通電制御するコントローラを有し，
　前記コントローラは，少なくとも２個の前記領域Ａの排気ガス入口を開放し前記排気ガスに含まれる前記パティキュレート物質を前記フィルタに捕集する捕集処理と，１個の前記領域Ａの排気ガス入口を前記開閉弁で閉鎖し前記空気供給手段を働かせて再生するための前記領域Ａの前記フィルタに前記燃焼用空気を供給して前記ヒータに通電して前記フィルタに捕集された前記パティキュレート物質を加熱焼却する再生処理とを順次経時的に制御する排気ガス浄化装置。」
の点で一致し、次の点で相違する。
　
相違点１’
　領域Ａに関し、
　本願発明においては、ハウジングが「前記ガス室に接続して隔壁によって少なくとも３個以上に分割され且つ前記フィルタが内外周に排気ガス通路を形成してそれぞれ配置された区画室」を有するとともに、ハウジングが「前記区画室に接続され前記区画室から送り出される前記排気ガスを集合する集合管」を有し、さらに、「前記区画室の排気ガス入口」及び「前記区画室の前記開閉弁」のように、「排気ガス入口」及び「開閉弁」が「区画室」と関係するのに対し、
　引用文献記載の発明においては、ハウジング２が「前記排ガス導入側空間４に凹部３ａを通じて接続し且つ前記筒状フィルタ９，前記筒状フィルタ９内周の排ガス通路，及び前記筒状フィルタ９外周の排ガス通路を含む４個の領域Ａ」を有し、領域Ａが凹部３ａに接続され、領域Ａが接続される凹部３ａに弁２１が配置されるものの、前記「領域Ａ」が本願発明のような「区画室」ではなく、また、ハウジング２が本願発明における「前記区画室に接続され前記区画室から送り出される前記排気ガスを集合する集合管」に相当するものを有さず、さらに、「凹部３ａ」及び「弁２１」が「領域Ａ」と関係する点（以下、「相違点１’」という。）。
　
相違点２
　捕集処理で少なくとも２個の排気ガス入口を開放し、再生処理で１個の排気ガス入口を閉鎖するために、
　本願発明においては、（少なくとも３個の）排気ガス入口に、排気ガス入口を開閉するための開閉弁がそれぞれ配置されており、捕集処理において「少なくとも２個の前記区画室の排気ガス入口を開閉する前記開閉弁を開放」し、再生処理において「１個の前記区画室の前記開閉弁を閉鎖」するのに対し、
　引用文献記載の発明においては、４個の凹部３ａに、弁２１が１個だけ配置されている点（相違点２）。
　
相違点３
　領域Ａに空気供給手段を設けることに関し、
　本願発明においては、「前記フィルタの再生時に前記パティキュレート物質の燃焼用空気を供給するため空気供給手段がそれぞれ設けられ」ているのに対し、
　引用文献記載の発明においては、「前記筒状フィルタ９の再生時に前記パティキュレートの酸素を供給するため酸素供給手段が設けられ」ている点（以下、「相違点３」という。）。
　
４　判断
（１）相違点１’について検討する。
　上記第２［理由］２［理由２］２−２−１のｆで示したように、引用文献には、「各フィルタユニット８の外側に筒状の隔壁を配設して、フィルタユニット８を通過した排ガスを再生中のフィルタユニット８に接触することなく出口へ導くようにしてもよい。」と示唆されている。
　また、ガス室に排気ガス入口を通じてそれぞれ接続し且つ隔壁によって複数に分割された区画室にフィルタを配置し、フィルタが内外周に排気ガス通路を形成するように構成するとともに、区画室から送り出される排気ガスを集合する集合管を設けることは、従来周知の技術（周知技術１）である。
　これらの示唆や周知技術１を考慮すれば、引用文献記載の発明において、４個の筒状フィルタ９それぞれが内外周に排ガス通路を形成するように、隔壁によって分割された４個の区画室を設けるとともに、排ガス導入側空間４に凹部３ａを通じてそれぞれの区画室を接続し、区画室から送り出される排ガスを集合管で集合するように前記領域Ａを構成することによって、相違点１’に係る本願発明の発明特定事項とすることは、当業者が格別の創意を要することなく想到できたことである。
　
（２）相違点２については、上記第２［理由］２［理由２］２−２−２で検討したとおりである。
　よって、引用文献記載の発明において、周知技術２を適用し、相違点２に係る本願発明の発明特定事項とすることは、当業者が格別の創意を要することなく想到できたことである。
　
（３）相違点３について検討する。
　空気供給手段をフィルタごとにそれぞれ設けることは、従来周知の技術（以下、「周知技術３」という。例えば、特開平５−１７９９３１号公報の段落【００１４】及び図１、特開２０００−３５２３０４号公報の段落【００１９】及び図１を参照。）である。
　引用文献記載の発明に該周知技術３を適用し、酸素供給手段を１個だけ設ける構成に代えて、４個の筒状フィルタ９にそれぞれ（すなわち、４個の領域Ａにそれぞれ）空気供給手段を設ける構成を採用し、相違点３に係る本願発明の発明特定事項とすることは、当業者が格別の創意を要することなく想到できたことである。
　
（４）そして、本願発明を全体としてみても、本願発明の奏する効果は、引用文献記載の発明及び周知技術１ないし３から当業者が予測できた範囲内のものであり、格別に顕著な効果ではない。
　
５　むすび
　以上のとおり、本願発明は、引用文献記載の発明及び周知技術１ないし３に基づいて、当業者が容易に発明をすることができたものであるから、特許法第２９条第２項の規定により特許を受けることができない。
　
　よって、結論のとおり審決する。